【事件の表示】
　特願２００２−　４５６９６「ゴルフボール販売容器兼保存容器」拒絶査定不服審判事件〔平成１５年　９月　２日出願公開、特開２００３−２４５３７９〕について、次のとおり審決する。
【結　論】
　本件審判の請求は、成り立たない。
【理　由】
第１　手続の経緯
　本願は、平成１４年（２００２年）２月２２日に出願した特願２００２−４５６９６号であって、平成１９年７月１７日付けで手続補正がなされ、同年９月３日付けで拒絶査定がなされ、これに対して、同年１０月１１日に拒絶査定不服審判の請求がなされ、同日付けで手続補正がなされたものである。
　
第２　本願発明について
　本願の請求項４に係る発明（以下、「本願発明」という。）は、平成１９年１０月１１日付けで手続補正された特許請求の範囲の請求項４に記載された次のとおりのものである。
　
「透明で保形性を有する樹脂成型品からなるケースと蓋とを備え、
　上記ケースは各外面を平面とすると共に、内面側に半ダースまたは１ダースの各ゴルフボールの下半球部全体を夫々外嵌する下半球状凹部を設け、
　上記ケースの上面に被せる蓋は各外面を平面とすると共に上記各ゴルフボールの上半球部全体を夫々外嵌する上半球状凹部を上記下半球状凹部と対向させて設け、
　上記ケースと蓋とは、一辺を薄肉ヒンジで連結して一体成形していると共に、他辺に着脱自在に係止する開閉用止め具を上記ケースおよび蓋に設けており、
　上記下半球状凹部にゴルフボールの下半球部全体を挿入した状態で蓋を閉じると該ゴルフボールの上半球部全体が上記上半球状凹部で外嵌されて各ゴルフボールがケース内部にゴルフボールが移動不可に位置決め保持されることを特徴とするゴルフボール販売容器兼保存容器。」
　
第３　引用例
１　引用例１
　原査定の拒絶の理由に引用され、本願の出願前に頒布された刊行物である実願昭５４−４８２９１号（実開昭５５−１４８７７２号）のマイクロフィルム（以下、「引用例１」という。）には、図面とともに、以下の事項が記載されている。
　
「３．考案の詳細な説明
　本考案はゴルフボールの収納箱に関するものである。
　従来よりゴルフボールは単にキャディバックのポケットに入れたり袋に入れたりして運んでいるが、運搬中にボールの表面を傷つけたり、また寒い季節になるとボールは寒空にさらされるため低温による弾性力が低下し、ボールの飛距離が短かくなる。
　そこで本考案はゴルフボールを安全に且つ加温して収納することによって上記欠点を除去するものである。
　図面に基いて本考案の実施例を説明すると、収納箱は箱体１と蓋体２とより構成され、それぞれウレタンなど合成樹脂発泡体にて一体成形されたものである。そして箱体１と蓋体２との内部形成はゴルフボールＢが所定位置に収納できるように、複数個の位置決め用の凹部３，４，５，６，７，８，３ａ，４ａ，５ａ，６ａ，７ａ，８ａが設けてあり、箱体と蓋体とが合体した時凹部３は凹部３ａと、凹部４は凹部４ａと、同様に５は５ａと…とそれぞれ一組になってゴルフボールを収納する。」（明細書第１ページ第７行〜第２ページ第９行）
　
　第１図及び第２図から、箱体１は各外面を平面としていること、箱体１の内面側の凹部３ないし８は、各ゴルフボールの下半球部の一部を外嵌するものであること、蓋体２は各外面を平面としていること、及び、蓋体２の内面側の凹部３ａないし８ａは、各ゴルフボールの上半球部の一部を外嵌するものであることが見て取れる。
　
２　引用例１に記載された発明の認定
　上記記載から、引用例１には、ゴルフボール収納箱に関し、
「収納箱は箱体１と蓋体２とより構成され、それぞれウレタンなど合成樹脂発泡体にて一体成形されたものであり、
　そして箱体１と蓋体２との内部形成はゴルフボールＢが所定位置に収納できるように、複数個の位置決め用の凹部３，４，５，６，７，８，３ａ，４ａ，５ａ，６ａ，７ａ，８ａが設けてあり、箱体と蓋体とが合体した時凹部３は凹部３ａと、凹部４は凹部４ａと、同様に５は５ａと…とそれぞれ一組になってゴルフボールを収納し、
　箱体１は各外面を平面とし、箱体１の内面側の凹部３ないし８は、各ゴルフボールの下半球部の一部を外嵌するものであり、
　蓋体２は各外面を平面とし、蓋体２の内面側の凹部３ａないし８ａは、各ゴルフボールの上半球部の一部を外嵌するものであるゴルフボール収納箱。」の発明（以下、「引用発明」という。）が記載されている。
　
３　引用例２
　原査定の拒絶の理由に引用され、本願の出願前に頒布された刊行物である実願昭６２−１２３３６７号（実開昭６４−２８６７１号）のマイクロフィルム（以下、「引用例２」という。）には、以下の事項が記載されている。
　
「さらには、持運ぶ際にボール同士のぶつかり合う音が耳障りに感じられるという人もいる等、総じて上記従来の収納ケースには種々の欠点があた。」（明細書第４ページ第１２〜１５行）
　
「［実施例］
　以下、この考案の実施例を第１図ないし第３図を参照しながら詳細に説明する。
　このゴルフボール収納ケース１０は例えば発砲スチロールやウレタン樹脂等の変形可能な材料からなるほぼ箱形状に形成されたケース本体１０を備えている。このケース本体１０の所定面の例えば上面には図示しない複数のゴルフボールを並置して収納し得る凹部１１が設けられている。この実施例によると、凹部１１は仕切り壁１２ａ，１２ｂにて区画された３つの凹部１１ａ，１１ｂ，１１ｃを含み、この各凹部１１ａ，１１ｂ，１１ｃの底部にはゴルフボールを押出す際の指挿通孔１３ａ，１３ｂ，１３ｃがそれぞれ穿設されている。この場合、各凹部１１ａ，１１ｂ，１１ｃの開口幅Ｗは収納されるゴルフボールの直径よりも実質的に狭く、かつ、その深さは同ゴルフボールの半径よりも実質的に深いことが好ましい。」（明細書第５ページ第９行〜第６ページ第５行）
　
「さらにこの実施例によると、ケース本体１０は、同本体１０に着脱自在に被せられる透明なカバー１５を備えている。」（明細書第６ページ第１５〜１７行）
　
４　引用例３
　原査定の拒絶の理由に引用され、本願の出願前に頒布された刊行物である特開２０００−３２７０５６号公報（以下、「引用例３」という。）には、以下の事項が記載されている。
　
「【０００９】以下、本発明につきさらに詳しく説明する。本発明のゴルフボール用包装体は、透明性を有する材料により形成された一対の挟持体を具備する。この挟持体は、図１に示すように、半球状カップ部２と、半球状カップ部２の周縁に連設されたリング状鍔部４とを有する。本発明のゴルフボール用包装体によってゴルフボールを包装する場合、図２に示すように、半球状カップ部２を互いに対向させた状態で両挟持体６の鍔部４の表面を重ね合わせるとともに、両半球状カップ部２により形成される球状の収容部８内にゴルフボール１０を収容するものである。なお、重ね合わせた両鍔部４は、融着や接着によって接合してもよく、他の部材を用いて重ね合わせた状態を保持するようにしてもよい。
【００１０】本発明において、挟持体を形成する材料の種類に特に限定はなく、例えば透明性を有するプラスチック、エラストマーなどから選ばれる任意のものを用いることができるが、挟持体はある程度の保形性を有することが望ましいので、硬質の材料を用いることが適当である。挟持体を形成する材料の好ましい例としては、材料の硬度や加工性等の点で、例えば、ポリエチレン、ポリプロピレン等のオレフィン系樹脂、ポリエチレンテレフタレート等のポリエステル、ポリスチレン等のスチレン系樹脂、ポリ塩化ビニルなどが挙げられる。挟持体を形成する材料の厚みは０．０５〜０．５ｍｍが好ましく、特に０．１〜０．３ｍｍが挟持体の形状安定性などの点で好ましい。
【００１１】上述した挟持体を形成する材料には、必要に応じ適宜副資材を配合することができ、例えば耐候性向上のために酸化防止剤、紫外線吸収剤などを添加することができる。特に、紫外線吸収剤の添加は、挟持体に紫外線遮蔽効果を付与するので、ゴルフボールを収容した本発明包装体が大陽光の当たる店頭に置かれていても、紫外線によるゴルフボールの劣化が起こりにくくなるため好ましい。酸化防止剤としては、例えばフェーノール系、スルフィド系、ホスファイト系などが挙げられ、紫外線吸収剤としては、例えばサリチル酸エステル系、ベンゾフェノン系、ペンゾトリアゾール系などが挙げられる。
【００１２】挟持体は、透明性を失わない範囲で、一部又は全体に着色を施してもよい。また、紫外線遮蔽効果のあるフィルムを挟持体に貼ってもよく、このようにすると、前述した紫外線吸収剤の添加と同様に、包装体が大陽光の当たる店頭に置かれていても、紫外線によるゴルフボールの劣化が起こりにくくなる。さらに、縁部には着色などによってデザインを施してもよい。
【００１３】挟持体の半球状カップ部の大きさは適宜設定することができるが、ゴルフボールの直径が約４２．５ｍｍであることから、半球状カップ部の開口部の内径ｍ（図１参照）は、ボールの直径より大きい方が好ましく、特に４３〜４６ｍｍの範囲とすることが適当である。ボールと球状収容部の周壁部とは密着していても構わないが、ボールと球状収容部の周壁部との隙間があまり大きくなると、球状収容部の中でボールがいたずらに動きすぎてしまうので好ましくない。また、挟持体の鍔部の形状や大きさは任意に決定することができるが、通常は略円形リング状とし、その幅ｎ（図１参照）は１０〜４０ｍｍ程度とすることが適当である。
【００１４】また、本発明のゴルフボール用包装体は、後述する実施形態例に示すように、下記構成（１）〜（４）を好適に採用することができる。
（１）一対のリング状シートを備えた装飾体であって、重ね合わせた前記両挟持体の鍔部を両リング状シートの間に挟み込んだ状態で両挟持体に取り付けられるとともに、両リング状シートの中空部から両挟持体の半球状カップ部が突出する装飾体をさらに具備する構成。この構成によれば、ゴルフボールの周りを装飾体によって際立たせ、商品を店頭で目立たせることができる。なお、上記装飾体には、商品名、マーク等の任意の表示を施すことができる。
【００１５】（２）各挟持体がそれぞれ１つの半球状カップ部を有し、１個のゴルフボールを包装する構成。この構成によれば、消費者がゴルフボールを所望の個数だけ購入できるようになるという利点が得られる。
【００１６】（３）両挟持体の鍔部の一部を連結した状態で両挟持体を一体に形成し、前記鍔部の連結箇所を折り曲げることにより両挟持体を重ね合わせる構成。この構成によれば、両挟持体によってゴルフボールを包装する作業が容易になる。」
　
第４　本願発明と引用発明の対比
１　対比
　ここで、本願発明と引用発明とを対比する。
　
　引用発明の「収納箱は箱体１と蓋体２とより構成され、それぞれウレタンなど合成樹脂発泡体にて一体成形されたもの」であることと、本願発明の「透明で保形性を有する樹脂成型品からなるケースと蓋とを備え」ることとは、「保形性を有する樹脂成型品からなるケースと蓋とを備え」ることで一致する。
　
　引用発明の「箱体１は各外面を平面とし」たこと、及び、「蓋体２は各外面を平面とし」たことは、それぞれ、本願発明の「上記ケースは各外面を平面とする」こと、及び、「上記ケースの上面に被せる蓋は各外面を平面とする」ことに相当する。
　
　引用発明の「箱体１と蓋体２との内部形成はゴルフボールＢが所定位置に収納できるように、複数個の位置決め用の凹部３，４，５，６，７，８，３ａ，４ａ，５ａ，６ａ，７ａ，８ａが設けてあり、箱体と蓋体とが合体した時凹部３は凹部３ａと、凹部４は凹部４ａと、同様に５は５ａと…とそれぞれ一組になってゴルフボールを収納」するという特定事項から、引用発明は６個（半ダース）のボールを収納できるものであることは明らかである。
　
　引用発明の「箱体１の内面側の凹部３ないし８は、各ゴルフボールの下半球部の一部を外嵌するもの」であることと、本願発明の「（ケースの）内面側に半ダースまたは１ダースの各ゴルフボールの下半球部全体を夫々外嵌する下半球状凹部を設け」ることとは、「（ケースの）内面側に各ゴルフボールの下半球部の少なくとも一部を夫々外嵌する凹部を設け」ることで一致する。
　
　引用発明の「蓋体２の内面側の凹部３ａないし８ａは、各ゴルフボールの上半球部の一部を外嵌するもの」であること及び「箱体と蓋体とが合体した時凹部３は凹部３ａと、凹部４は凹部４ａと、同様に５は５ａと…とそれぞれ一組になってゴルフボールを収納」することと、本願発明の「（蓋は）上記各ゴルフボールの上半球部全体を夫々外嵌する上半球状凹部を上記下半球状凹部と対向させて設け」ることとは、「（蓋は）上記各ゴルフボールの上半球部の少なくとも一部を夫々外嵌する凹部を上記ケース内面側の凹部と対向させて設け」ることで一致している。
　
　引用発明の「箱体１と蓋体２との内部形成はゴルフボールＢが所定位置に収納できるように、複数個の位置決め用の凹部３，４，５，６，７，８，３ａ，４ａ，５ａ，６ａ，７ａ，８ａが設けてあり、箱体と蓋体とが合体した時凹部３は凹部３ａと、凹部４は凹部４ａと、同様に５は５ａと…とそれぞれ一組になってゴルフボールを収納」することと、本願発明の「上記下半球状凹部にゴルフボールの下半球部全体を挿入した状態で蓋を閉じると該ゴルフボールの上半球部全体が上記上半球状凹部で外嵌されて各ゴルフボールがケース内部にゴルフボールが移動不可に位置決め保持されること」とは、「上記ケースの凹部にゴルフボールの下半球部の少なくとも一部を外嵌した状態で蓋を閉じると該ゴルフボールの上半球部の少なくとも一部が上記蓋体の凹部で外嵌されて各ゴルフボールがケース内部にゴルフボールが位置決め保持されること」で一致する。
　
　引用発明の「ゴルフボール収納箱」と、本願発明の「ゴルフボール販売容器兼保存容器」とは、「ゴルフボール保存容器」である点で一致する。
　
２　本願発明と引用発明の一致点
　したがって、本願発明と引用発明とは、
「保形性を有する樹脂成型品からなるケースと蓋とを備え、
　上記ケースは各外面を平面とすると共に、内面側に半ダースまたは１ダースの各ゴルフボールの下半球部の少なくとも一部を夫々外嵌する凹部を設け、
　上記ケースの上面に被せる蓋は各外面を平面とすると共に上記各ゴルフボールの上半球部の少なくとも一部を夫々外嵌する凹部を上記ケースの凹部と対向させて設け、
　上記ケースの凹部にゴルフボールの下半球部の少なくとも一部を外嵌した状態で蓋を閉じると該ゴルフボールの上半球部の少なくとも一部が上記蓋の凹部で外嵌されて各ゴルフボールがケース内部にゴルフボールが位置決め保持されるゴルフボール保存容器。」の発明である点で一致し、次の各点で相違する。
　
３　本願発明と引用発明の相違点
（１）相違点１
　本願発明のケースと蓋の樹脂材料は透明な材料であるのに対して、引用発明の箱体と蓋体の樹脂材料においてはそのような限定がない点。
　
（２）相違点２
　本願発明のケース及び蓋の内面側に設けられた凹部は、それぞれ、下半球状凹部及び上半球状凹部であり、それぞれが、ゴルフボールの下半球部全体及び上半球部全体を外嵌し、ゴルフボールを移動不可とするものであるのに対して、引用発明の箱体及び蓋体の内面側に設けられた凹部においてはそのような限定がない点。
　
（３）相違点３
　本願発明は「ケースと蓋とは、一辺を薄肉ヒンジで連結して一体成形していると共に、他辺に着脱自在に係止する開閉用止め具を上記ケースおよび蓋に設けて」いるものであるのに対して、引用発明の箱体及び蓋体においてはそのような限定がない点。
　
（４）相違点４
　本願発明のゴルフボール保存容器は、販売容器を兼用しているのに対して、引用発明においてはそのような限定がない点。
　
　
第５　当審の判断
１　次に、上記相違点について検討する。
（１）相違点１について
　ゴルフボールを収納する容器において、収納したゴルフボールが見えるように、容器を透明とすることは、引用例２，３にも記載されているように周知の技術である。
　引用発明においても、上記の周知技術を適用し、上記相違点１に係る本願発明の発明特定事項を得ることは当業者が容易になし得たことである。
　
（２）相違点２について
　引用例２，３には、ゴルフボールを収納する容器のゴルフボールを外嵌する凹部を、ゴルフボールの半球部全体を覆う凹部とすることが記載されている。
　引用発明においても、より確実な位置決めや他のゴルフボールとの接触防止等の要請に応じて、上記引用例２，３に記載された発明を適用して、ケース（箱体）及び蓋（蓋体）の双方の内面側に設けられた凹部を、それぞれ、ゴルフボールの下半球部全体及び上半球部全体を覆う凹部として、ゴルフボールを移動不可に位置決め保持するようにして、上記相違点２に係る本願発明の発明特定事項を得ることは当業者が容易になし得たことである。
　なお、上記のように「ケース（箱体）及び蓋（蓋体）の双方の内面側に設けられた凹部を、それぞれ、ゴルフボールの下半球部全体及び上半球部全体を覆う凹部」とした際には、ケース（箱体）及び蓋（蓋体）の双方の内面側に設けられた凹部が、それぞれ、ちょうどゴルフボールの下半球部のみ及び上半球部のみを覆う凹部、すなわち、下半球状凹部及び上半球状凹部となることは、技術常識から当然のことである。
　
（３）相違点３について
　本体と蓋体からなる収納容器において、一辺を薄肉ヒンジで連結して一体成形することは、例えば、引用例３にも記載されているように周知の技術であり、また、他辺に着脱自在に係止する開閉用止め具を設けることは、例示するまでもなく周知の技術である。
　引用発明においても、上記の周知技術を適用し、上記相違点３に係る本願発明の発明特定事項を得ることは当業者が容易になし得たことである。
　
（４）相違点４について
　保存容器をそのまま販売用の容器とすること、すなわち、保存容器に保存されていた状態のまま販売することは、通常、慣用されている周知の技術である。
　引用発明のゴルフボール収容箱においても、上記の周知技術を適用し、保存容器であるとともに販売容器を兼ねることとして、上記相違点４に係る本願発明の発明特定事項を得ることは当業者が容易になし得たことである。
　
２　そして、本願発明によってもたらされる効果は、引用発明、上記の引用例２，３に記載された発明及び周知技術から当業者が予測し得る程度のものである。
　
３　まとめ
　したがって、本願発明は、引用発明、上記の引用例２，３に記載された発明及び周知技術に基いて当業者が容易に発明することができたものである。 
　
第６　むすび
　以上のとおり、本願の請求項４に係る発明は、引用例１ないし３に記載された発明及び周知技術に基いて、当業者が容易に発明をすることができたものであるから、特許法第２９条第２項の規定により特許を受けることができない。
　したがって、その余の請求項に係る発明について論及するまでもなく、本願は拒絶すべきものである。
　
　よって、結論のとおり審決する。